【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
サービス提供者により、サービス提供場所に設置されたサービス情報配信装置から利用者に配布された表示制御機能付メモリ装置に対して、サービス情報を配信する方法であって、
サービス提供者と利用者との取引時において、取引情報に基づいてプロトコル処理がなされると共に前記サービス情報配信装置から前記表示制御機能付メモリ装置に対してサービス情報が配信され、当該配信を受けた表示制御機能付メモリ装置において、当該プロトコル処理の結果を反映した取引情報及び当該配信されたサービス情報の一部又は全部が、利用者の操作又はプログラム制御により変更可能に表示される、
ことを特徴とするサービス情報配信方法。
【請求項２】
前記方法は、
取引の終了後においても、前記プロトコル処理の結果を反映した取引情報及び配信されたサービス情報の一部又は全部が、利用者の操作又はプログラム制御により変更可能に表示される、
ことを特徴とする請求項１に記載のサービス情報配信方法。
【請求項３】
前記表示制御機能付メモリ装置は、
表示器付ＩＣカード装置、もしくはＩＣカード装置とＩｒＤＡ通信機能付表示器の組合せ、もしくはＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せを含むＩＣカード装置と近接無線通信機能付表示器の組合せ、もしくはＩｒＤＡ通信機能付携帯装置、もしくはブルートゥース通信機能付携帯装置、無線ＬＡＮ通信機能付携帯装置、ＨｏｍｅＲＦ通信機能付携帯装置を含む近接無線通信機能付携帯装置であり、
前記サービス情報配信装置は、ＩＣカードリーダライタ装置、もしくはＩｒＤＡ通信装置、もしくはブルートゥース通信装置、無線ＬＡＮ通信装置、ＨｏｍｅＲＦ通信装置を含む近接無線通信装置である、
ことを特徴とする請求項１又は２に記載のサービス情報配信方法。
【請求項４】
サービス提供者により、サービス提供場所に設置されたサービス情報配信装置から利用者に配布された表示制御機能付メモリ装置に対して、サービス情報を配信する方法であって、
前記表示制御機能付メモリ装置がサービス提供領域外から内に入ったことを契機として、前記サービス情報配信装置から当該表示制御機能付メモリ装置に対してサービス情報が配信され、当該配信を受けた表示制御機能付メモリ装置において、当該配信されたサービス情報の一部又は全部が、利用者の操作又はプログラム制御により変更可能に表示される、
ことを特徴とするサービス情報配信方法。
【請求項５】
前記方法は、
サービス提供領域外においても、前記配信されたサービス情報の一部又は全部が、利用者の操作又はプログラム制御により変更可能に表示される、
ことを特徴とする請求項４に記載のサービス情報配信方法。
【請求項６】
前記表示制御機能付メモリ装置は、
ＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せを含むＩＣカード装置と近接無線通信機能付表示器の組合せ、もしくはアクティブタグ読取機能付携帯装置、もしくはブルートゥース通信機能付携帯装置、無線ＬＡＮ通信機能付携帯装置、ＨｏｍｅＲＦ通信機能付携帯装置を含む近接無線通信機能付携帯装置であり、
前記サービス情報配信装置は、
アクティブタグ通信装置、もしくはブルートゥース通信装置、無線ＬＡＮ通信装置、ＨｏｍｅＲＦ通信装置を含む近接無線通信装置である、
ことを特徴とする請求項４又は５に記載のサービス情報配信方法。
【請求項７】
利用者に配布される表示制御機能付メモリ装置と、サービス提供場所に設置されて当該配布された表示制御機能付メモリ装置に対して取引時にサービス情報を配信するサービス情報配信装置とで構築するシステム装置であって、
前記表示制御機能付メモリ装置は、
前記サービス情報配信装置との取引に係る取引情報と当該サービス情報配信装置から配信されたサービス情報とを記憶する記憶手段と、
前記取引に際して当該記憶手段に記憶されている取引情報に基づいて前記サービス情報配信装置と取引に関するプロトコル処理及び演算を行うと共に、当該サービス情報配信装置から配信されたサービス情報を受けて当該取引の結果を反映した取引情報及び当該配信されたサービス情報を前記記憶手段に記憶させる取引演算手段と、
利用者に対して表示情報を表示する表示手段と、
当該表示手段における表示のタイミングを制御する表示タイミング制御手段と、
当該表示タイミング制御手段の制御を受けて前記表示手段に表示すべき表示情報を、前記記憶手段に記憶されている取引情報及びサービス情報の一方又は全部を取得して加工することにより整えて、当該表示情報を前記表示手段に表示させる表示制御手段とを具備する、
ことを特徴とするサービス情報配信システム装置。
【請求項８】
前記サービス情報配信装置は、
前記表示制御機能付メモリ装置に対して配信されるサービス情報と当該表示制御機能付メモリ装置との取引において必要となる取引情報とを記憶する記憶手段と、
前記取引に際して当該記憶手段に記憶されている取引情報に基づいて前記表示制御機能付メモリ装置と取引に関するプロトコル処理及び演算を行うと共に、当該表示制御機能付メモリ装置に対して当該記憶手段に記憶しているサービス情報を配信する取引演算手段とを具備する、
ことを特徴とする請求項７に記載のサービス情報配信システム装置。
【請求項９】
前記表示制御機能付メモリ装置は、
表示器付ＩＣカード装置、もしくはＩＣカード装置とＩｒＤＡ通信機能付表示器の組合せ、もしくはＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せを含むＩＣカード装置と近接無線通信機能付表示器の組合せ、もしくはＩｒＤＡ通信機能付携帯装置、もしくはブルートゥース通信機能付携帯装置、無線ＬＡＮ通信機能付携帯装置、ＨｏｍｅＲＦ通信機能付携帯装置を含む近接無線通信機能付携帯装置であり、
前記サービス情報配信装置は、ＩＣカードリーダライタ装置、もしくはＩｒＤＡ通信装置、もしくはブルートゥース通信装置、無線ＬＡＮ通信装置、ＨｏｍｅＲＦ通信装置を含む近接無線通信装置である、
ことを特徴とする請求請７又は８に記載のサービス情報配信システム装置。
【請求項１０】
利用者に配布される表示制御機能付メモリ装置と、サービス提供場所に設置されて当該配布された表示制御機能付メモリ装置に対してサービス提供時にサービス情報を配信するサービス情報配信装置とで構築するシステム装置であって、
前記表示制御機能付メモリ装置は、
前記サービス情報配信装置から配信されたサービス情報を記憶する記憶手段と、
前記サービス提供に際して前記サービス情報配信装置から配信されたサービス情報を受けて前記記憶手段に記憶させる通信手段と、
利用者に対して表示情報を表示する表示手段と、
当該表示手段における表示のタイミングを制御する表示タイミング制御手段と、
当該表示タイミング制御手段の制御を受けて前記表示手段に表示すべき表示情報を、前記記憶手段に記憶されているサービス情報の一部又は全部を取得して加工することにより整えて、当該表示情報を前記表示手段に表示させる表示制御手段とを具備する、
ことを特徴とするサービス情報配信システム装置。
【請求項１１】
前記サービス情報配信装置は、
前記表示制御機能付メモリ装置に対して配信されるサービス情報を記憶する記憶手段と、
前記サービス提供に際して当該記憶手段に記憶しているサービス情報を前記表示制御機能付メモリ装置に対して配信する通信手段とを具備する、
ことを特徴とする請求項１０に記載のサービス情報配信システム装置。
【請求項１２】
前記表示制御機能付メモリ装置は、
ＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せを含むＩＣカード装置と近接無線通信機能付表示器の組合せ、もしくはアクティブタグ読取機能付携帯装置、もしくはブルートゥース通信機能付携帯装置、無線ＬＡＮ通信機能付携帯装置、ＨｏｍｅＲＦ通信機能付携帯装置を含む近接無線通信機能付携帯装置であり、
前記サービス情報配信装置は、
アクティブタグ通信装置、もしくはブルートゥース通信装置、無線ＬＡＮ通信装置、ＨｏｍｅＲＦ通信装置を含む近接無線通信装置である、
ことを特徴とする請求項１０又は１１に記載のサービス情報配信システム装置。
【請求項１３】
前記表示制御機能付メモリ装置は、
前記表示タイミング制御手段又は前記表示制御手段の何れかに対して接続され、前記表示手段への表示に係る利用者の入力操作を受付ける入力手段を具備する、
ことを特徴とする請求項７、８、９、１０、１１又は１２に記載のサービス情報配信システム装置。
【手続補正２】
【補正対象書類名】明細書
【補正対象項目名】００１８
【補正方法】変更
【補正の内容】
【００１８】
本発明方法の第３の特徴は、上記本発明方法の第１又は第２の特徴における前記表示制御機能付メモリ装置が、表示器付ＩＣカード装置、もしくはＩＣカード装置とＩｒＤＡ通信機能付表示器の組合せ、もしくはＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せを含むＩＣカード装置と近接無線通信機能付表示器の組合せ、もしくはＩｒＤＡ通信機能付携帯装置、もしくはブルートゥース通信機能付携帯装置、無線ＬＡＮ通信機能付携帯装置、ＨｏｍｅＲＦ通信機能付携帯装置を含む近接無線通信機能付携帯装置であり、前記サービス情報配信装置は、ＩＣカードリーダライタ装置、もしくはＩｒＤＡ通信装置、もしくはブルートゥース通信装置、無線ＬＡＮ通信装置、ＨｏｍｅＲＦ通信装置を含む近接無線通信装置である、サービス情報配信方法の構成採用にある。
【手続補正３】
【補正対象書類名】明細書
【補正対象項目名】００２１
【補正方法】変更
【補正の内容】
【００２１】
本発明方法の第６の特徴は、上記本発明方法の第４又は第５の特徴における前記表示制御機能付メモリ装置が、ＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せを含むＩＣカード装置と近接無線通信機能付表示器の組合せもしくはアクティブタグ読取機能付携帯装置、もしくはブルートゥース通信機能付携帯装置、無線ＬＡＮ通信機能付携帯装置、ＨｏｍｅＲＦ通信機能付携帯装置を含む近接無線通信機能付携帯装置であり、前記サービス情報配信装置は、アクティブタグ通信装置、もしくはブルートゥース通信装置、無線ＬＡＮ通信装置、ＨｏｍｅＲＦ通信装置を含む近接無線通信装置である、サービス情報配信方法の構成採用にある。
【手続補正４】
【補正対象書類名】明細書
【補正対象項目名】００２４
【補正方法】変更
【補正の内容】
【００２４】
本発明システム装置の第３の特徴は、上記本発明システム装置の第１又は第２の特徴における前記表示制御機能付メモリ装置が、表示器付ＩＣカード装置、もしくはＩＣカード装置とＩｒＤＡ通信機能付表示器の組合せ、もしくはＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せを含むＩＣカード装置と近接無線通信機能付表示器の組合せ、もしくはＩｒＤＡ通信機能付携帯装置、もしくはブルートゥース通信機能付携帯装置、無線ＬＡＮ通信機能付携帯装置、ＨｏｍｅＲＦ通信機能付携帯装置を含む近接無線通信機能付携帯装置であり、前記サービス情報配信装置は、ＩＣカードリーダライタ装置、もしくはＩｒＤＡ通信装置、もしくはブルートゥース通信装置、無線ＬＡＮ通信装置、ＨｏｍｅＲＦ通信装置を含む近接無線通信装置である、サービス情報配信システム装置の構成採用にある。
【手続補正５】
【補正対象書類名】明細書
【補正対象項目名】００２７
【補正方法】変更
【補正の内容】
【００２７】
本発明システム装置の第６の特徴は、上記本発明システム装置の第４又は第５の特徴における前記表示制御機能付メモリ装置が、ＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せを含むＩＣカード装置と近接無線通信機能付表示器の組合せ、もしくはアクティブタグ読取機能付携帯装置、もしくはブルートゥース通信機能付携帯装置、無線ＬＡＮ通信機能付携帯装置、ＨｏｍｅＲＦ通信機能付携帯装置を含む近接無線通信機能付携帯装置であり、前記サービス情報配信装置は、アクティブタグ通信装置、もしくはブルートゥース通信装置、無線ＬＡＮ通信装置、ＨｏｍｅＲＦ通信装置を含む近接無線通信装置である、サービス情報配信システム装置の構成採用にある。
【手続補正６】
【補正対象書類名】明細書
【補正対象項目名】００３１
【補正方法】変更
【補正の内容】
【００３１】
表示制御機能付メモリ装置１は、サービス提供者により予めサービス享受者である利用者に対して配布される装置である。
その例としては、サービス情報配信システム装置αが取引連動型では、表示制御機能付メモリ装置１は、表示器付ＩＣカード装置、ＩＣカード装置とＩｒＤＡ通信機能付表示器の組合せ、ＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せ、ＩｒＤＡ通信機能付携帯装置、ブルートゥース通信機能付携帯装置、無線ＬＡＮ通信機能付携帯装置、ＨｏｍｅＲＦ通信機能付携帯装置などが挙げられる。
【手続補正７】
【補正対象書類名】明細書
【補正対象項目名】００３２
【補正方法】変更
【補正の内容】
【００３２】
また、サービス情報配信システム装置αが空間連動型では、ＩＣカード装置とブルートゥース通信機能付表示器の組合せ、ＩＣカード装置と無線ＬＡＮ通信機能付表示器の組合せ、ＩＣカード装置とＨｏｍｅＲＦ通信機能付表示器の組合せ、アクティブタグ読取機能付携帯装置、ブルートゥース通信機能付携帯装置、無線ＬＡＮ通信機能付携帯装置、ＨｏｍｅＲＦ通信機能付携帯装置などが挙げられる。
サービス情報配信装置２は、サービス提供者によりサービス提供場所に予め設置される装置である。
【手続補正８】
【補正対象書類名】明細書
【補正対象項目名】００３３
【補正方法】変更
【補正の内容】
【００３３】
その例としては、サービス情報配信システム装置αが取引連動型では、ＩＣカードリーダライタ装置（接触通信機能付、非接触通信機能付何れも可）、ＩｒＤＡ通信装置、ブルートゥース通信装置、無線ＬＡＮ通信装置、ＨｏｍｅＲＦ通信装置などが挙げられる。
また、サービス情報配信システム装置αが空間連動型では、アクティブタグ通信装置、ブルートゥース通信装置、無線ＬＡＮ通信装置、ＨｏｍｅＲＦ通信装置などが挙げられる。